(57)【要約】      （修正有）【課題】液晶パネルの透過率を向上できるカラーフィルタ基板、液晶パネル及び液晶表示装置を提供する。【解決手段】カラーフィルタ基板２は基板と、前記基板の一方側に形成された複数組の電極構造３と、を備え、各組の電極構造３は画素電極ｃと、共通電極ｄと、を備え、電圧の印加によって、画素電極ｃと共通電極ｄとの間に水平電界を生じさせる。隣接する２組の電極構造３において、画素電極ｃ及び共通電極ｄの配置の順番が逆である。また、隣接する２組の電極構造３において、画素電極ｃと共通電極ｄとの間の距離が等しい。【選択図】図１
2014038326.tif 000002
【特許請求の範囲】
【請求項１】
カラーフィルタ基板であって、
基板と、
前記基板の一方側に形成された複数組の電極構造と、を備え、各組の電極構造が画素電極と、共通電極と、を備え、電圧の印加によって前記画素電極と前記共通電極との間に水平電界を生じさせることを特徴とする、カラーフィルタ基板。
【請求項２】
隣接する２組の電極構造において、前記画素電極及び前記共通電極の配置の順番が逆であることを特徴とする、請求項１に記載のカラーフィルタ基板。
【請求項３】
隣接する２組の電極構造において、前記画素電極と前記共通電極との間の距離が等しいことを特徴とする、請求項１に記載のカラーフィルタ基板。
【請求項４】
前記画素電極及び前記共通電極の電極幅が２〜３μｍであり、
前記画素電極と前記共通電極との間の距離が２〜５μｍであることを特徴とする、請求項１、２、又は３に記載のカラーフィルタ基板。
【請求項５】
アレイ基板と、カラーフィルタ基板と、アレイ基板とカラーフィルタ基板との間に形成された液晶層と、を備える液晶パネルであって、
前記アレイ基板の前記カラーフィルタ基板に対向する側に、交互に配置される第１の画素電極と第１の共通電極とが複数形成され、
前記カラーフィルタ基板の前記アレイ基板に対向する側に、複数組の電極構造が形成され、各組の電極構造が第２の画素電極と、第２の共通電極と、を備え、各組の電極構造における第２の画素電極及び第２の共通電極は、前記第１の画素電極又は前記第１の共通電極の前記カラーフィルタ基板における正投影の両側に対称に分布していることを特徴とする、液晶パネル。
【請求項６】
前記カラーフィルタ基板における隣接する２組の電極構造において、前記第２の画素電極と前記第２の共通電極の配置の順番が逆であることを特徴とする、請求項５に記載の液晶パネル。
【請求項７】
前記電極構造における前記第２の画素電極と前記第２の共通電極との間の距離が、隣接する前記第１の画素電極と前記第１の共通電極との間の距離よりも短いことを特徴とする、請求項５に記載の液晶パネル。
【請求項８】
前記第１の画素電極、第２の画素電極、第１の共通電極、第２の共通電極の電極幅が２〜３μｍであり、
前記電極構造における前記第２の画素電極と前記第２の共通電極との間の距離が２〜５μｍであり、
隣接する前記第１の画素電極と前記第１の共通電極との間の距離が５〜１０μｍであることを特徴とする、請求項５、６、又は７に記載の液晶パネル。
【請求項９】
液晶表示装置であって、請求項５〜８の何れか１項に記載の液晶パネルを備えることを特徴とする、液晶表示装置。
【発明の詳細な説明】
【技術分野】
【０００１】
本発明は、液晶表示分野に関し、特にカラーフィルタ基板、液晶パネル及び液晶表示装置に関する。
【背景技術】
【０００２】
液晶を駆動する電界方向によって、液晶表示装置は垂直電界型液晶表示装置と水平電界型液晶表示装置とに分けられている。垂直電界型液晶表示装置は主にツイストネマチック（ＴＮ）モードと垂直配向（ＶＡ）モードとを備え、水平電界型液晶表示装置は主に共通平面切換（ＩＰＳ）モードと、境界電界切換（ＦＦＳ）モードと、高級スーパー次元切換（ＡＤＳ）モードとを備える。垂直電界型液晶表示装置と比べ、水平電界型液晶表示装置は、別途の光学補償膜がなくても広視野角が実現できる。
【発明の概要】
【発明が解決しようとする課題】
【０００３】
しかし、水平電界型液晶表示装置について、その液晶層における電界分布は不均一で、電界に被覆されていない一部領域が存在し、光は該一部領域を透過できないため、液晶パネル全体の透過率は高くない。
【課題を解決するための手段】
【０００４】
本発明の目的は、カラーフィルタ基板、液晶パネル及び液晶表示装置を提供し、液晶パネルの透過率を向上させることである。
【０００５】
上記目的を実現するために、本発明に提供される技術案は以下の通りである。
【０００６】
本発明の第１の態様により、カラーフィルタ基板が提供され、該カラーフィルタ基板は、基板と、前記基板の一方側に形成された複数組の電極構造と、を備え、各組の電極構造は画素電極と、共通電極と、を備え、電圧の印加によって前記画素電極と前記共通電極との間に水平電界を生じさせる。
【０００７】
上記液晶パネルにおいて、隣接する２組の電極構造における前記画素電極と前記共通電極の配置の順番は逆である。
【０００８】
上記液晶パネルにおいて、隣接する２組の電極構造における前記画素電極と前記共通電極との間の距離が等しい。
【０００９】
上記液晶パネルにおいて、
前記画素電極と前記共通電極の電極幅は２〜３μｍであり、
前記画素電極と前記共通電極との間の距離は２〜５μｍである。
【００１０】
本発明の第２の態様により、液晶パネルのカラーフィルタ基板が提供され、前記液晶パネルのアレイ基板の前記カラーフィルタ基板に対向する側に、交互に配置される第１の画素電極と第１の共通電極とが複数形成され、前記カラーフィルタ基板は、基板と、前記基板の前記アレイ基板に対向する側に形成された複数組の電極構造と、を備え、各組の電極構造は第２の画素電極と、第２の共通電極と、を備え、各組の電極構造における第２の画素電極と第２の共通電極は、第１の画素電極又は第１の共通電極の前記基板における正投影の両側に対称に分布している。
【００１１】
上記カラーフィルタ基板において、隣接する２組の電極構造における第２の画素電極と第２の共通電極の配置の順番は逆である。
【００１２】
上記カラーフィルタ基板において、前記電極構造における第２の画素電極と第２の共通電極との間の距離は、隣接する第１の画素電極と第１の共通電極との間の距離よりも短い。
【００１３】
上記カラーフィルタ基板において、前記第１の画素電極、第２の画素電極、第１の共通電極、第２の共通電極の電極幅は２〜３μｍである。
【００１４】
前記電極構造における第２の画素電極と第２の共通電極との間の距離は２〜５μｍである。
【００１５】
隣接する第１の画素電極と第１の共通電極との間の距離は５〜１０μｍである。
【００１６】
本発明の第３の態様により、上記液晶パネルを備える液晶表示装置が提供された。
【００１７】
以下、本発明の実施例の技術案をさらに明確に説明するために、実施例の図面を簡単に説明する。明らかなように、以下の図面は本発明の一部の実施例に関するものに過ぎず、本発明を限定するものではない。
【図面の簡単な説明】
【００１８】
【図１】本発明の実施例に係る液晶パネルの構造の概略図である。
【図２】本発明の実施例に係る液晶パネルに電界が形成された場合の透過率分布の概略図である。
【図３】従来技術の液晶パネルに電界が形成された場合の透過率分布の概略図である。
【発明を実施するための形態】
【００１９】
以下、本発明の実施例の目的、技術案及びメリットをさらに明確にするように、本発明の実施例の図面を参照しながら、本発明の実施例の技術案を明確かつ完全に説明する。なお、下記の実施例は、本発明の実施例の一部であり、全ての実施例ではない。説明する本発明の実施例に基づき、当業者が創造性のある労働をする必要がない前提で得られる全ての他の実施例は、いずれも本発明の保護範囲に入る。
【００２０】
別途に定義していない限り、ここで使われる技術用語又は科学用語の意味は、本発明の分野で一般的知識を持っている人に理解される通常の意味である。本出願の明細書及び特許請求の範囲に記載の「第１」、「第２」及びそれに類似する言葉は順番、数量又は重要性を表すものではなく、異なる構成部分を区分するためだけである。同様に、「１つ」又は「１」などの類似する言葉も数量に対する制限ではなく、少なくとも１つが存在することを表すものである。「備えられる」又は「含まれる」及びそれに類似する言葉の意味は、「備えられる」又は「含まれる」の後ろに記載された素子又は部材が「備えられる」又は「含まれる」の前に挙げられた素子又は部材及びそれに同等するものを含める意味であり、その他の素子又は部材は排除されていない。「接続」又は「連結」及びそれに類似する言葉は、物理的又は機械的な接続に限定されるわけではなく、直接か間接かにもかかわらず、電気的な接続であってもよい。「上」、「下」、「左」、「右」などは相対的な位置関係を表す用語に過ぎず、説明対象の絶対位置が変化したら、この相対的な位置関係も対応して変化する。
【００２１】
図３に示すように、従来の水平電界型液晶パネルの構成によれば、その画素電極ａ及び共通電極ｂはアレイ基板１に形成され、カラーフィルタ基板２に電極構造が形成されていない。図３から分かるように、電圧を印加した後、画素電極ａと共通電極ｂとの間に水平電界４が形成され、画素電極ａ及び共通電極ｂの上方領域に電界が形成されていない。よって、この上方領域の液晶分子は回転できず、光線はこの領域を通るときに位相遅延が発生せず、液晶パネルの上下偏光板により、この領域の光線は液晶パネルを透過できないため、液晶パネル全体の透過率が高くない。通常、この構成の液晶パネルの最大透過率は７０％程度である。
【００２２】
上記課題を解決するために、本発明の実施例は液晶パネルを提供し、アレイ基板に画素電極及び共通電極を形成すると共に、カラーフィルタ基板に画素電極及び共通電極を形成し、液晶層に主にアレイ基板における画素電極及び共通電極による電界が分布する他に、カラーフィルタ基板における画素電極及び共通電極による補助電界も分布し、この補助電界の分布により液晶層における水平電界が補償且つ強化され、液晶層中の均一な電界分布が形成できる。この構成の液晶パネルの透過率は最小でも７０％以上であり、最大は９０％程度に達することができる。
【００２３】
図１に示すように、本発明の実施例に係る液晶パネルは、アレイ基板１と、カラーフィルタ基板２と、アレイ基板１及びカラーフィルタ基板２の間に形成された液晶層（図示しない）とを備え、
アレイ基板１のカラーフィルタ基板２に対向する側に、交互に配置される第１の画素電極ａと第１の共通電極ｂとが複数形成され、
カラーフィルタ基板２のアレイ基板１に対向する側に、複数組の電極構造３が形成され、各組の電極構造３は第２の画素電極ｃと、第２の共通電極ｄと、を備え、各組の電極構造３における２の画素電極ｃと第２の共通電極ｄとは、第１の画素電極ａ又は第１の共通電極ｂのカラーフィルタ基板２における正投影の両側に対称に分布している。
【００２４】
上記液晶パネルにおいて、隣接する２組の電極構造３の第２の画素電極ｃと第２の共通電極ｄの配置の順番は逆であることが望ましい。例えば、第１組の電極構造３において、第２の画素電極ｃは第２の共通電極ｄの左側に位置し、第２組の電極構造３において、第２の画素電極ｃは第２の共通電極ｄの右側に位置する。このようにして、補助電界を第１の画素電極ａ及び第１の共通電極ｂの上方領域だけに分布させることができる。
【００２５】
電極構造３における第２の画素電極ｃと第２の共通電極ｄとの間の距離ｙは、隣接する第１の画素電極ａと第１の共通電極ｂの間との距離ｘよりも短いことが望ましい。
【００２６】
例えば、第１の画素電極ａ、第２の画素電極ｃ、第１の共通電極ｂ、第２の共通電極ｄの電極幅は２〜３μｍであり、電極構造３における第２の画素電極ｃと第２の共通電極ｄとの間の距離は２〜５μｍであり、隣接する第１の画素電極ａと第１の共通電極ｂとの間の距離は５〜１０μｍである。カラーフィルタ基板における第２の画素電極ｃと第２の共通電極ｄとによる補助電界はアレイ基板における第１の画素電極又は第１の共通電極の真上に位置し、アレイ基板の主水平電界を補助することができる。第１の共通電極ａ及び第２の共通電極ｃの電圧は一定であってよく、第１の画素電極ｂ及び第２の画素電極ｄは表示されるグレー値により、例えば０〜２０Ｖに調節される。
【００２７】
本発明の実施例の上記液晶パネルによれば、図２に示すように、表示する場合、電圧を第１の画素電極ａ、第１の共通電極ｂ、第２の画素電極ｃ、第２の共通電極ｄに印加し、第１の画素電極ａと第１の共通電極ｂとの間に主水平電界４が形成され、第２の画素電極ｃと第２の共通電極ｄとの間に補助水平電界５が形成され、補助水平電界５は第１の画素電極ａ及び第１の共通電極ｂの上方領域に形成される。このようにして、液晶層に均一な電界分布が形成され、この均一な電界分布は基本的に画素領域の液晶分子を全て回転させることができ、光線の液晶層を通るときの位相遅延値は増大するため、液晶パネルの透過率は向上した。
【００２８】
図２と図３とを対比することにより、本発明の実施例の有益な効果が分かる。図３において、第１の画素電極ａ及び第１の共通電極ｂの上方に電界分布がないため、透過率は低い。図２において、第１の画素電極ａ及び第２の共通電極ｂの上方に補助水平電界５が形成されているため、透過率は向上した。
【００２９】
また、本発明の実施例は表示装置を更に提供し、この表示装置は上記実施例における液晶パネルを備える。表示装置は、液晶パネル、電子ペーパー、液晶テレビ、液晶ディスプレイ、デジタルアルバム、携帯電話、タブレットなどの何れかの表示機能を有する製品又は部材であってよい。
【００３０】
以上は本発明の代表的な実施形態だけであり、本発明の保護を制限するためのものではない。本発明の保護範囲は、添付の請求項により決まる。
【符号の説明】
【００３１】
１  アレイ基板
２  カラーフィルタ基板
３  電極構造
４  主水平電界
５  補助水平電界
ａ  画素電極
ｂ  共通電極
ｃ  第２の画素電極
ｄ  第２の共通電極
【図１】
2014038326.tif 000003
【図２】
2014038326.tif 000004
【図３】
2014038326.tif 000005